(57)【特許請求の範囲】
【請求項１】
ゴーグルフレームを構成するフロント部とテンプル部の内側であって、目の周辺にある少なくとも一つ以上の経穴に対応する位置に指圧用突起部が設けられており、かつ、ゴーグルフレームが柔軟性材料で形成されているとともに、テンプル部の両端には該ゴーグルフレームを顔面及び頭部に強制的に密着させるための緊張手段が設けられている顔面指圧具において、前記フロント部とテンプル部の内側の経穴に対応した位置に或いはそれ以外の位置に、前記指圧用突起部の嵌合保持部を固定的に収容するため入口部分を小径にした穴が形成され、しかも前記指圧用突起部が前記穴の位置に合わせて移動可能に取付けられていることを特徴とした顔面指圧具。
【請求項２】
ゴーグルフレームを構成する形状が目の周囲を覆うアイマスク形状からなることを特徴とする請求項１に記載の顔面指圧具。
【請求項３】
前記指圧用突起部が着脱自在に取付けられていることを特徴とする請求項１または２に記載の顔面指圧具。
【請求項４】
前記指圧用突起部を形成する材料が金属、硬質プラスチック、磁性を帯びた金属及び金属粒であるノイロコルンの内一つであることを特徴とする請求項１〜３のいずれかに記載の顔面指圧具。
【発明の詳細な説明】
【技術分野】
【０００１】
本発明は顔面指圧具に関するものであり、更に詳しくは、顔面の指圧ポイントに的確に押圧刺激を与えることのできる顔面指圧具に関するもので、特に、眼精疲労の回復に効果あるものである。
【背景技術】
【０００２】
細かい手作業やパソコン作業、自動車の運転、テレビの鑑賞を長時間行うと目の疲労ひいては頭痛や肩こり等を起こすことは一般に広く知られているところである。
【０００３】
ところで、人間の目の周辺にはいくつかの経穴（ツボ）があり、この経穴（ツボ）を刺激すると特に目の周りの血行が良くなって眼精疲労を軽減させることができる。
このことに着目して特開平８−３０４７４３号公報には、眼鏡フレームの内側、即ち眼鏡使用者の顔面に対向する側に磁気を帯びさせた眼鏡の発明が開示されている。
【０００４】
【特許文献１】特開平８−３０４７４３号公報
【発明の開示】
【発明が解決しようとする課題】
【０００５】
前記特許文献に開示されているものは、通常の眼鏡フレームの内側に磁気発生源を配したものである。しかしながら、目の周辺の血行を良くする方法は磁気をあてるだけでなく、目の周辺にある経穴（ツボ）を指圧することも有効である。磁気による治療は、即効性が無くある程度の時間的継続が必要である。磁気による場合は、予防的使用としては好ましいものであるが、眼精疲労を早く軽減させるには、目の周りの経穴（ツボ）を直接的に刺激することが最も有効である。
【０００６】
しかし、従来のものには経穴（ツボ）を刺激する、即ち、顔面に直接押圧接触する部材が設けられておらず、したがって、このような指圧効果を期待できないといった問題点を有している。
【０００７】
また、従来のものは眼鏡フレームに細工をするものであり、眼鏡を掛けない人にとっては無縁のものとなっていた。
【課題を解決するための手段】
【０００８】
本発明は、上記したような従来技術の課題に着目して提案されたもので、眼精疲労を早めに軽減させることができるような顔面指圧具を提供することを目的として提案されたものである。
【０００９】
上記目的を達成するために、請求項１に記載の本発明の顔面指圧具は、ゴーグルフレームを構成するフロント部とテンプル部の内側であって、目の周辺にある少なくとも一つ以上の経穴に対応する位置に指圧用突起部を設け、かつ、ゴーグルフレームを柔軟性材料で形成することを特徴とする。
【００１０】
請求項２に記載の本発明の顔面指圧具は、ゴーグルフレームを構成するフロント部とテンプル部の内側であって、目の周辺にある少なくとも一つ以上の経穴に対応する位置に指圧用突起部を設け、かつ、ゴーグルフレームを柔軟性材料で形成するとともに、テンプル部の両端には、該ゴーグルフレームを顔面及び頭部に強制的に密着させるための緊張手段を設けることを特徴とする。
【００１１】
請求項３に記載の本発明の顔面指圧具は、目の周囲を覆うフロント部からなり、該フロント部の内側であって、目の周辺にある少なくとも一つ以上の経穴に対応する位置に指圧用突起部を設けるとともに、かつ、該フロント部を柔軟性材料で形成することを特徴とする。
【００１２】
請求項４に記載の本発明の顔面指圧具は、目の周囲を覆うアイマスク形状であって、該アイマスクの内側であって、目の周囲にある経穴に対応する位置に指圧用突起部を設けることを特徴とする。
【００１３】
請求項５に記載の本発明の顔面指圧具は、前記指圧用突起部が経穴の位置に合わせて調節移動可能に取付けられていることを特徴とする。
【００１４】
請求項６に記載の本発明の顔面指圧具は、前記指圧用突起部が着脱自在に取付けられていることを特徴とする。
【００１５】
請求項7に記載の本発明の顔面指圧具は、前記ゴーグルフレームの柔軟性材料が、ポリ塩化ビニル又は軟性合成樹脂材や天然ゴム又は合成ゴムであるクロロプレンゴムやシリコンゴムやアクリルゴムやウレタンゴム材で形成されていることを特徴とする。
【００１６】
請求項８に記載の本発明の顔面指圧具は、前記指圧用突起部が金属粒又は磁石で形成されていることを特徴とする。
【発明の効果】
【００１７】
請求項１の顔面指圧具によれば、ゴーグルフレームを構成するフロント部とテンプル部の内側であって目の周辺にある少なくとも一つ以上の経穴に対応する位置に指圧用突起部が設けられており、しかも、当該ゴーグルフレームが柔軟性材料で形成されているので、指圧用突起部を経穴に押圧させることができ、経穴に適度な刺激を与えることができるので眼精疲労を治癒させるのに極めて有効である。また、通常の使用状態において刺激が少ないと感じたときには、フレームの外側から顔面方向に向けて手の平で押圧すれば刺激が強くなり指圧効果が増すことになる。
【００１８】
請求項２に記載の顔面指圧具によれば、テンプル部の両端には緊張手段が設けられているので、緊張度を調節することにより指圧用突起部の顔面の経穴への圧着度（強さ）を調節できる。即ち、きつくして締結（結ぶように）すれば、該ゴーグルフレームを顔面及び頭部に柔軟性材料で形成されたフレームをより強く密着させて指圧用突起部の経穴への押し当て強さが強くなり、より一層の刺激（指圧）効果を高める。しかも緊張度の調節は、任意で使用者の好みに応じた指圧効果を得ることができる。
【００１９】
請求項３における顔面指圧具によれば、目の周囲を覆うフロント部からなり、該フロント部の内側であって、目の周辺にある少なくとも一つ以上の経穴に対応する位置に指圧用突起部を設けるとともに、かつ、該フロント部を柔軟性材料で形成することを特徴としてなる。
【００２０】
したがって、直接ゴムバンド等の緊張体や紐等を取付けるようにして該フロント部を顔面に圧着させることも、また、既存の水泳用ゴーグルや３Ｄテレビ用メガネ等と顔面との間に介在させて使用することもできる。さらには、当該顔面指圧具のみを目の周りに当てて手の平で押圧したり離したりするなどして使用することもでき多用途が可能である。
【００２１】
請求項４に記載の本発明の顔面指圧具によれば、アイマスク状に広幅状に形成されているので、指圧用突起部を数多く設けておけば、経穴以外のポイントにも突起部を当てることができ、経穴の刺激以外に顔面マッサージの美容健康効果を期待することができる。
【００２２】
請求項５に記載の本発明の顔面指圧具は、前記指圧用突起部の位置が変更できるように取付けられているので、指圧用突起部の位置を微調整して経穴に適正に合わせることができ、より一層の適正な指圧効果を得ることができる。
【００２３】
請求項６に記載の本発明の顔面指圧具は、前記指圧用突起部が着脱自在に取付けられているので、指圧用突起部の大きさや高さ等を自由に変更でき、適正な指圧効果を得ることができる。
【００２４】
請求項7に記載の本発明の顔面指圧具は、前記ゴーグルフレームを構成するフロント部及びテンプル部は柔軟性材料として、ポリ塩化ビニル又は軟性合成樹脂材や天然ゴム又は合成ゴムであるクロロプレンゴムやシリコンゴムやアクリルゴムやウレタンゴム材で形成されているので、顔面に密着され適正な指圧効果が得られる。
【００２５】
請求項８に記載の本発明の顔面指圧具は、前記指圧用突起部が金属粒である「ノイロコルン」又は磁石で形成され顔面に密着して経穴に刺激を与え、適正な指圧効果を得ることができる。この金属粒は、金属の粒状体であり、鍼や指圧の原理の応用として物理療法で使用されているものである。
【発明を実施するための最良の形態】
【００２６】
以下、本発明を実施する一形態を図面に基づいて説明する。図１は第１の実施形態を示したもので、顔面指圧具であるゴーグルフレーム１は、フロント部１１と一対のテンプル部１７から構成される。フロント部１１は、メガネフレームでいうところのリム部１３と該リム部１３を接続するブリッジ部１５から構成されている。なお、鼻パッドは設けられていない。これにより後述するようにフロント部１１の内側（顔面に対向する側）が顔面に密着する。
【００２７】
フロント部１１の両端には、テンプル部１７が一体的に接続されている。なお、フロント部１１とテンプル部１７は一体成型されていても、また別体に成型しておいて事後に接続させるようなものであっても良い。なお、別体に成型する場合にはヒンジ等で接続するのが望ましい。
【００２８】
テンプル部１７の端部である両耳側端部には、ゴムベルト、ストラップ等の緊張部材６が取付けられており、頭の後ろ側で左右両者が一体的に接続固定（ロック）されることにより、ゴーグルフレーム１が顔面に及び側頭部に密着する。きつく固定すれば（結べば）それだけ指圧用突起部８の圧着度が高まり刺激度がそれに比例して強くなる。使用者が好みの強さを調整加減できる。
【００２９】
ゴーグルフレームを構成するフロント部１１及びテンプル部１７は、柔軟性材料として、ポリウレタン又はポリ塩化ビニル又はアクリルニトリルの軟性合成樹脂材や天然ゴム又は合成ゴムであるシリコンゴムやクロロプレンのゴム材で形成される。
【００３０】
フロント部１１及びテンプル部１７の内側には、指圧効果用の突起部８が取付けられている。この指圧用突起部８の取付け位置は、経穴（ツボ）である晴明（左右の目の目頭から少し鼻よりのくぼみ部分）、魚腰（眉の中央真下）、太陽（こめかみから目尻近く）、四白（瞳の中心の真下）や眼の周辺の経穴（ツボ）と言われている糸竹空、瞳子りょう、上明、外明、球后、承泣、さん竹等（図５参照）に対応した位置であり、そこに刺激を与え眼精疲労の軽減やそれに伴う頭痛や肩こり等の軽減が可能となる。
【００３１】
図２は指圧用突起部８の取付けの一例を示したもので、指圧用突起部８は、押圧部８１、嵌合保持部８３およびこれらを接続するブリッジ部８５から構成される。フロント部１１及びテンプル部１７の内側の経穴に対応した位置には、指圧用突起部８を保持するための穴１１０が形成されており、この穴１１０は指圧用突起部８の嵌合保持部８３を固定的に収容する大きさに設定されている。
【００３２】
穴１１０の入口部分１１１は、小径に形成されており指圧用突起部８のブリッジ部８５を固定保持する。これにより指圧用突起部８がフロント部１１及びテンプル部１７の内側から容易に外れることが防止される。また、指圧用突起部８は、シール等で貼付けるような構成であっても良い。
【００３３】
顔面の経穴に接触する指圧用突起部８の押圧部８１の大きさや高さ等の寸法の種類を数多く揃えておけば指圧程度を任意に好みに調節できる。
【００３４】
また、このフロント部１１及びテンプル部１７に形成した穴部１１０、１１１を左右前後方向、上下方向に延在するような形状、例えばクロス状に形成しておけば、指圧用突起部８を溝に沿って左右前後方向、上下方向に移動可能とさせることができ、経穴の位置に適切に合わせることが容易に可能となる。
【００３５】
指圧用突起部８の設置数は、経穴の数だけは最低限必要であるが、本発明はこれに限定されるものではなく、経穴位置以外の位置にも設けておいても良い。この場合には、目の周り全体のマッサージ効果として美容健康が期待できる。
【００３６】
指圧用突起部８を形成する材料は、特に限定されるものではないが、金属材料好ましくは磁性を帯びた金属材料である金属粒「ノイロコロン」が望ましいが、これに限定されるものではない。すなわち、指圧効果のみを希望し磁力による治療が必要ない場合は、硬質プラスチック等で代用しても良い。 
【００３７】
上記した緊張部材６は請求項１の顔面指圧具１においては設けられていないが、この場合には手の平でフロント部１１やテンプル部１７を押圧することで指圧効果を得ることができる。緊張部材の例としてはゴムバンド、ストラップ、紐などである。
【００３８】
上記顔面指圧具のフロント部１１のリム１３には、レンズなどは入っていないが、視力矯正用レンズや３Ｄ眼鏡用レンズ等を入れておくことも可能である。この場合にはリム等の一般的なレンズ固定保持手段を別途講じておくことが必要である。
【００３９】
図３は請求項３に対応する実施形態であり、顔面指圧具３はフロント部３１のみで構成される。フロント部３１は一対のリム部３３とこれらのリム部３３を一体的に接続するブリッジ部３５から構成される。即ち、当該実施形態のものはロイド眼鏡に構成が似ている。
【００４０】
フロント部３１の内側には前記実施形態と同様に指圧用突起部８が埋め込まれている。この指圧用突起部８も前記実施形態と同様に固定的に取付けても、取外し自在であっても、さらには、経穴の位置に合わせるべく面上を移動可能に構成しておいても良い。またフロント部３１の両側にゴムベルトやストラップ取付け穴を設けておいても良い。
【００４１】
この図３に記載したものは、ゴムベルトやストラップ等でフロント部３１を顔面に固定させることもできるが、これらを用いない場合には、前述したように、３Ｄメガネや水泳ゴーグルなどと顔面の間に介在させて、これら３Ｄメガネや水泳ゴーグルの保持力を利用して顔面に圧着させて指圧効果を得る。このため、フロント部３１にはレンズは装着されていない素通しである。
【００４２】
なお、水泳ゴーグルで使用する場合には、顔面指圧具３を水泳ゴーグル内に確実に収納され、しかも水泳ゴーグルから水の浸入が無いような手段を講じておく必要が有るが、ともに両者の材料を同質のものとしておけば水密性は確保できる。
【００４３】
図４は請求項４に対応する顔面指圧具の実施形態であり、顔面指圧具５は、頬近傍まで覆うようなアイマスク状をしている。図示において参照番号５１は鼻を露出させる部分である。また、参照番号５３は、目を露出させるための透通部である。睡眠用等に用いるアイマスクと同様に透通部５３は、設けておかなくても良い。
【００４４】
参照番号５５はストラップ取付け部であり、５７は顔面指圧具５を顔面に保持させておくために頭部の後ろで締結されるストラップである。なお、頭部で保持しない場合には、ストラップ５７は必要なく、顔面に載せて手の平で押圧するマッサージに用いても良い。勿論のこと、ストラップで顔面に密着させておく場合にも更なる押圧力を与えたい場合には、手の平で押圧してやればよい。
【００４５】
顔面指圧具５に内側には指圧用突起部８が設けられている。指圧用突起部８の位置は、前記と同様に経穴に対応した位置である。更に、この顔面指圧具５は前記図１や図３で示したものと異なり顔面に接触する面積が広いため、経穴部分以外の場所にも適宜設けておく。すなわち、経穴に対応する位置のものはツボ刺激用であり、他の部分のものは顔面マッサージ用に使用する。
【００４６】
この顔面指圧具５も前記と同様、ポリ塩化ビニル又は軟性合成樹脂材や天然ゴム又は合成ゴムであるクロロプレンゴムやシリコンゴムやアクリルゴムやウレタンゴム材で形成される。また、指圧用突起部８の取付け方法は図２で示したように構成しておいても、貼付けるものであっても良い。更には指圧用突起部８をマグネットで構成しておいても良い。
【００４７】
本実施形態は上記アイマスク状のものに限定されるものではなく、顔面全体を覆うようなお面状のものとしておけば顔面全体のマッサージ効果を得ることができ美容健康に有益である。なお、マッサージを行うには手の平で押圧することによって行っても、さらにはバイブレータ式の電気マッサージ機を軽く押し当てるようにして使用することもできる。
【図面の簡単な説明】
【００４８】
【図１】本発明の第１の実施形態を示す斜視図。
【図２】指圧用突起部の取付け例を示す説明図。
【図３】本発明の他の実施形態を示す斜視図
【図４】本発明の他の実施形態を示す斜視図
【図５】眼の周辺にある経穴を示す図
【符号の説明】
【００４９】
１・・顔面指圧具
１１・フロント部
１７・テンプル部
３・・顔面指圧具
３１・フロント部
３３・リム部
３５・ブリッジ部
５・・顔面指圧具
５３・透通部
５５・ストラップ取付け部
５７・ストラップ
６・・緊張部材
８・・指圧用突起部
８１・押圧部
８３・嵌合保持部
８５・ブリッジ部
【図１】
0005564674.tif 000002
【図２】
0005564674.tif 000003
【図３】
0005564674.tif 000004
【図４】
0005564674.tif 000005
【図５】
0005564674.tif 000006